(57)【要約】【課題】施工性を阻害することなく、固着具の室内側への露出を防止し得る見切り部材を提供する。【解決手段】施工下地１に施工される建築用パネル１０の一端部に沿って配設される見切り部材Ａであって、前記建築用パネルの前記一端部の端面１１，１２に対面配置される立ち上がり壁部４６が形成されるとともに、前記施工下地に固着するための固着具５ａ，５ｂが止着される固着具受部４８が前記立ち上がり壁部の外方側面４６ｄに設けられた見切り基台部４５と、前記建築用パネルの前記一端部の表面１１ａ，１２ａを隠す突片部４２が上端部に内方に向けて突設されるとともに、前記固着具受部の固着具止着箇所を覆うカバー部４４が延設され、前記見切り基台部に取付けられる見切りカバー部４０とを備えている。【選択図】図１
2009191550.tif 000002
【特許請求の範囲】
【請求項１】
施工下地に施工される建築用パネルの一端部に沿って配設される見切り部材であって、
前記建築用パネルの前記一端部の端面に対面配置される立ち上がり壁部が形成されるとともに、前記施工下地に固着するための固着具が止着される固着具受部が前記立ち上がり壁部の外方側面に設けられた見切り基台部と、
前記建築用パネルの前記一端部の表面を隠す突片部が上端部に内方に向けて突設されるとともに、前記固着具受部の固着具止着箇所を覆うカバー部が延設され、前記見切り基台部に取付けられる見切りカバー部とを備えていることを特徴とする見切り部材。
【請求項２】
請求項１において、
前記見切り基台部と前記見切りカバー部とには、互いに係合する係合部がそれぞれ形成されており、
前記見切りカバー部は、前記見切り基台部に着脱可能に係合保持される構造とされていることを特徴とする見切り部材。
【請求項３】
請求項１または２において、
前記見切り基台部の立ち上がり壁部の下端部には、前記施工下地に固着するための固着具が止着される固定板状部が更に内方に向けて延設されていることを特徴とする見切り部材。
【請求項４】
請求項１乃至３のいずれか１項において、
前記見切り基台部には、前記建築用パネルの前記一端部の端面に凹設された雌実部に嵌合される雄実部が更に突設されていることを特徴とする見切り部材。
【発明の詳細な説明】
【技術分野】
【０００１】
本発明は、建築用パネルの一端部に沿って配設される見切り部材に関する。
【背景技術】
【０００２】
従来より、住宅等の建物の壁や天井等の納まり部分には、建築用パネルの一端部の表面及び端面を被覆する見切り部材が用いられている。
このような見切り部材は、石膏ボードや合板捨張下地等の下地ボード、あるいは胴縁や受け桟、天井野縁等の下地桟等の施工下地に、並列配置して取付けられた複数枚の内装パネルや外装パネル、天井パネル等の建築用パネルの一端部に沿って施工下地に取付けられる。
【０００３】
従来の見切り部材としては、例えば、断面形状が階段形状とされたものが知られている。この階段形状とされた見切り部材は、施工下地に固着される固定辺と、建築用パネルの端部端面に対面配置され、該固着辺から立設された立ち上がり辺と、該立ち上がり辺から内方（建築用パネルの存在側）に向けて延設された鍔辺とを有し、該固定辺の適所にビスや釘等の固着具を止着（ねじ込み、打ち込み）して、納まり部分を見切る構成とされている。
上記構成とされた見切り部材では、簡易な構成であり、施工性も良いものではあるが、固着具が止着される固定辺が表面側に露出する、すなわち、固着具が止着された箇所が露出するので、固着具の頭が表面側（室内側）に露出し、見栄えが悪いという問題があった。
【０００４】
例えば、下記特許文献１では、上記したような問題を解決することを目的とした見切り材が提案されている。
この見切り材は、パネル材に当接されることとなる裏面に、パネル材に打入される固着具の頭をスライド自在に保持する保持部を備えた構成とされている。
このものでは、上記保持部に固着具の頭を保持させて、見切り材の裏面側に固着具を取付けた状態とし、室内側から当て木を見切り材に当てるなどして金槌でたたき込むことによって、取付けられる、と説明されている。
【特許文献１】特開平９−２４２３１５号公報（図１参照）
【発明の開示】
【発明が解決しようとする課題】
【０００５】
しかし、上記特許文献１に記載の見切り材によれば、固着具の頭が室内側に露出するようなことがなく、見切り材の取付けができるものではあるが、比較的、長尺に形成されることが多い、見切り部材に固着具の頭をスライドさせて保持部に挿入することは面倒な作業となる。また、通常、このような見切り部材等の建築材料は、施工性の観点から現場施工においては、電動工具あるいはエア工具等を用いて、ネジや釘等で固着する場合が多く、上記特許文献１に記載の見切り材では、そのような施工ができないものであった。すなわち、上記保持部に保持されている固着具の箇所を手探りで探る必要があるとともに、該箇所を、当て木を当てて金槌でたたき込む必要があり、煩雑な作業となる恐れがあった。
【０００６】
本発明は、上記実情に鑑みなされたものであり、施工性を阻害することなく、固着具の室内側への露出を防止し得る見切り部材を提供することを目的としている。
【課題を解決するための手段】
【０００７】
前記目的を達成するために、本発明に係る見切り部材は、施工下地に施工される建築用パネルの一端部に沿って配設される見切り部材であって、前記建築用パネルの前記一端部の端面に対面配置される立ち上がり壁部が形成されるとともに、前記施工下地に固着するための固着具が止着される固着具受部が前記立ち上がり壁部の外方側面に設けられた見切り基台部と、前記建築用パネルの前記一端部の表面を隠す突片部が上端部に内方に向けて突設されるとともに、前記固着具受部の固着具止着箇所を覆うカバー部が延設され、前記見切り基台部に取付けられる見切りカバー部とを備えていることを特徴とする。
【０００８】
本発明の前記見切り部材においては、前記見切り基台部と前記見切りカバー部とに、互いに係合する係合部をそれぞれ形成し、前記見切りカバー部を、前記見切り基台部に着脱可能に係合保持させる構造としてもよい。
また、本発明の前記見切り部材においては、前記見切り基台部の立ち上がり壁部の下端部に、前記施工下地に固着するための固着具が止着される固定板状部を更に内方に向けて延設するようにしてもよい。
また、本発明の前記見切り部材においては、前記見切り基台部に、前記建築用パネルの前記一端部の端面に凹設された雌実部に嵌合される雄実部を更に突設するようにしてもよい。
【発明の効果】
【０００９】
本発明に係る前記見切り部材は、固着具が止着される固着具受部の固着具止着箇所を覆うカバー部を有した見切りカバー部を備えているので、固着具の頭や固着具の埋め込み穴等が室内側に露出せず、施工後の意匠性を高めることができる。
また、上記固着具受部は、見切りカバー部が取付けられる見切り基台部の立ち上がり壁部の外方側面に設けられているので、施工が煩雑となることがない。すなわち、見切り基台部の立ち上がり壁部の内方側面を建築用パネルの一端部の端面に対面配置した状態で、外方側面の固着具受部に対して、電動工具あるいはエア工具等を用いて、ネジや釘等を止着し、その後、見切りカバー部を見切り基台部に取付ければよく、施工性に優れたものとなる。
さらに、見切り部材を、見切りカバー部と見切り基台部とを備えたものとすることで、例えば、異なる厚さの建築用パネルに対して施工されるような場合にも、いずれか一方を該厚さに応じて種々揃えることで、一方の部材は同じものとでき、汎用性に優れたものとなる。
【００１０】
本発明に係る前記見切り部材において、前記見切り基台部と前記見切りカバー部とに、互いに係合する係合部をそれぞれ形成し、前記見切りカバー部を、前記見切り基台部に着脱可能に係合保持させる構造とすれば、以下のような効果を奏する。
すなわち、見切りカバー部が見切り基台部に対して着脱できるので、例えば、表面側（室内空間側）に位置する見切りカバー部に損傷等が生じた場合に、見切りカバー部を容易に交換できる。従って、見切り基台部は、そのまま施工下地に固着させたままで、見切りカバー部を新たなものに交換できるので、メンテナンスコストを低減できる。
また、例えば、建築用パネルの一部に不良が生じ、該建築用パネルを交換したいような場合や模様替えのために建築用パネルを交換したいような場合には、見切りカバー部の突片部が建築用パネルの一端部の表面を隠すようにしているため、該突片部が邪魔となり建築用パネルを脱離させるには、見切り部材を破壊する必要が生じる恐れがある。上記構成とされた本発明によれば、見切りカバー部が着脱可能に見切り基台部に係合保持される構造としているので、そのような場合にも見切りカバー部を見切り基台部から脱離でき、見切り部材を破壊する必要がない。よって、建築用パネルの交換後に、見切りカバー部を再利用できる。
【００１１】
本発明に係る前記見切り部材において、前記見切り基台部の立ち上がり壁部の下端部に、前記施工下地に固着するための固着具が止着される固定板状部を更に内方に向けて延設するようにすれば、以下のような効果を奏する。
すなわち、建築用パネルを施工下地に取付ける前に、見切り部材の取付けが可能な場合等、例えば、施工の始端側に配設するような場合等では、上記立ち上がり壁部の下端部に内方に向けて延設された上記固定板状部に対して、固着具を止着すればよく、施工態様に応じて、固着具の止着箇所が選択でき、施工性に優れたものとなる。
【００１２】
本発明に係る前記見切り部材において、前記見切り基台部に、前記建築用パネルの前記一端部の端面に凹設された雌実部に嵌合される雄実部を更に突設するようにすれば、以下のような効果を奏する。
すなわち、建築用パネルの雌実部に嵌合する雄実部を、見切り基台部に設けているので、建築用パネルの施工下地に対する取付強度を高めることができる。また、該雄実部が建築用パネルの雌実部に嵌合することによって建築用パネルが仮保持されるので、例えば、建築用パネルを接着剤で施工下地に固着するような場合には、該接着剤が乾燥硬化するまでの仮固定手段としても機能する。
【発明を実施するための最良の形態】
【００１３】
以下に本発明の最良の実施の形態について、図面に基づいて説明する。
図１は、第１実施形態に係る見切り部材を示す概略分解断面図、図２は、同実施形態に係る見切り部材が用いられた建築用パネルの施工状態を示す概略正面図、図３（ａ）、（ｂ）は、いずれも同実施形態に係る見切り部材を用いた建築用パネルの取付構造の一例を説明するための説明図であり、（ａ）は、図２におけるＸ−Ｘ線矢視概略断面図、（ｂ）は、図２におけるＹ−Ｙ線矢視概略断面図、図４（ａ）〜（ｄ）は、いずれも同建築用パネルの取付構造を説明するための説明図であり、（ａ）は、図２におけるＺ部の概略拡大一部破断正面図、（ｂ）は、（ａ）におけるＶ１−Ｖ１線矢視概略断面図、（ｃ）は、（ａ）におけるＶ２−Ｖ２線矢視概略断面図、（ｄ）は、（ａ）におけるＷ−Ｗ線矢視概略断面図である。
【００１４】
尚、以下の説明では、壁面に対して見切り部材を取付けた例を示し、それに応じて縦、横の方向を示しているが、天井面に対して見切り部材を取付けた場合には、その方向は限定されない。
また、以下の説明で示す上下方向は、施工下地に対して対面した状態における手前側を上方、施工下地側を下方として説明している。すなわち、天井面に対して施工された際には、上下の方向が逆転されて把握される。
さらに、以下の説明では、縦方向に配設された見切り部材を縦見切り部材として、４０番台の符合を付し、横方向に配設された見切り部材を横見切り部材として、５０番台の符合を付して説明しているが、いずれも長さのみが異なり、同様の構成である。
【００１５】
本実施形態に係る見切り部材Ａは、図１に示すように、大略的に、施工下地１に固着される見切り基台部４５と、該見切り基台部４５に着脱可能に係合保持される見切りカバー部４０とを備えている。
上記見切りカバー部４０は、縦断面形状が一部開口略四角枠形状の基部４１と、該基部４１の上端部に内方（建築用パネル存在側）に向けて突設された突片部４２と、該基部４１の外方側面に沿って下方に向けて延設されたカバー部４４と、該カバー部４４の内方側で該基部４１の下端部から下方に向けて突設された係合突部４３とを有している。該係合突部４３の下端部には、後記する見切り基台部４５の係合凹部４６ａの上端部に形成された絞り部４６ｂと係合する突条４３ａが長手方向に沿って幅方向両側に向けて突設されている。
【００１６】
該見切りカバー部４０の基部４１の内方側面４１ａが、施工下地１に取付施工された建築用パネル１０のうちの最外方に位置する建築用パネル１０（縦横方向にそれぞれ並設された建築用パネルのうちの最天井側及び最床側、最左方側及び最右方側に位置する建築用パネル）のそれぞれ外方側の端部端面１１に対面して、当接あるいは近接配置される。
また、上記突片部４２の裏面４２ａが上記最外方に位置する建築用パネル１０の端部表面１１ａに対面して、当接あるいは近接配置される。
また、上記見切りカバー部４０のカバー部４４によって、後記する見切り基台部４５の固着具受部４８がカバーされる。
【００１７】
上記見切りカバー部４０は、本実施形態では、アルミニウム材から押出成形や射出成形、プレス成形あるいは切削加工等によって、一体的に成形され、図２に示すように、施工態様に応じて、建築用パネル１０の端部に沿うように、長尺に形成されている。
尚、該見切りカバー部４０は、本実施形態では、材料費を低減すべく、図例のように、基部４１の内方に開口する凹所空間を長手方向に沿って形成するようにして押出成形によって形成されている。
また、見切りカバー部４０の材質は、上記アルミニウム材に限られず、ステンレス材等の他の金属系材あるいはポリプロピレンや、ＡＢＳ、ポリエチレンテレフタレート、ポリカーボネート、ＰＰＳ等の合成樹脂系材としてもよい。
さらに、見切りカバー部４０の幅寸法は、例えば、図２のように、建築用パネル１０間に目地部材として、カバー目地部材２０及び中間目地部材３０等を配設する場合には、後記するようなカバー目地部材２０及び中間目地部材３０の目地幅に合わせて、該見切りカバー部４０の基部４１の幅寸法及び該基部４１から内方に向けて突設された突片部４２の突設幅を適宜、設定するようにしてもよい。例えば、上記基部４１の幅寸法は、３ｍｍ程度〜１５ｍｍ程度、上記突片部４２の突設幅は、１ｍｍ程度〜５ｍｍ程度としてもよい。
【００１８】
上記見切り基台部４５は、立ち上がり壁部４６と、該立ち上がり壁部４６の下端部から内方に向けて延設され、釘（フィニッシュネイル、ステイプル等）５ｂや、ビス５ａ等の固着具（図３参照）が止着されて施工下地１に固着される固定板状部４７と、該立ち上がり壁部４６の外方側面４６ｄに設けられ、上記同様の固着具が止着される固着具受部４８と、該立ち上がり壁部４６に凹設された上方に向けて開口する係合凹部４６ａと、該立ち上がり壁部４６の上端部に内方に向けて突設された雄実部４９とを有している。
【００１９】
上記固定板状部４７の表面（上面）には、固着具の止着箇所の目印として長手方向に沿って目印溝４７ａが凹設されている（図５（ａ）参照）。
上記固着具受部４８は、本実施形態では、立ち上がり壁部４６の外方側面４６ｄの下端部側が外方に向けて膨出されて形成された段差部で構成されている。
すなわち、上記立ち上がり壁部４６の下端部近傍の幅寸法は、上記固定板状部４７を除いて、見切りカバー部４０のカバー部４４の幅方向厚さ分、基部４１の幅寸法よりも小さく形成されており、また、該立ち上がり壁部４６の上端部近傍の幅寸法は、上記雄実部４９を除いて、上記段差部を形成するように、その下端部近傍の幅寸法よりも小さく形成されている。
上記係合凹部４６ａの上端部には、見切りカバー部４０の係合突部４３の下端部に形成された突条４３ａと係合する絞り部４６ｂが形成されている。
【００２０】
上記見切り基台部４５の立ち上がり壁部４６の内方側面４６ｃが、建築用パネル１０のうちの最外方に位置する建築用パネル１０のそれぞれ外方側の端部端面１１に対面して、当接あるいは近接配置される。
また、上記見切り基台部４５の雄実部４９が、最外方に位置する建築用パネル１０のそれぞれ端部端面１１に形成された雌実部１３に嵌合される。
すなわち、上記カバー見切り部４０が見切り基台部４５に係合保持された状態では、雄実部４９を除いて、基部４１の内方側面４１ａと立ち上がり壁部４６の内方側面４６ｃとが同平面域に配置されて、上記端部端面１１に対面配置される。
また、上記見切り基台部４５の固着具受部４８は、上記見切りカバー部４０が見切り基台部４５に係合されて取付けられた状態では、見切りカバー部４０のカバー部４４によってカバーされる。すなわち、見切りカバー部４０の基部４１の外方側面に沿って下方に向けて延設されたカバー部４４の下端部内方側面４４ａが立ち上がり壁部４６の下端部近傍の外方側面４６ｄに当接することで、上記段差部、すなわち固着具受部４８が、図３に示すように覆われる。
【００２１】
上記見切り基台部４５は、本実施形態では、上記したような合成樹脂系材料から押出成形や射出成形、切削加工等によって、一体的に成形され、上記見切りカバー部４０と同様、長尺に形成されている。
上記のように、見切りカバー部４０の材質を金属系材（アルミニウム材等）とすることで、例えば、施工される建築用パネル１０が不燃性パネルである場合において、全体として不燃性に優れたものとなる。また、この場合にも見切り基台部４５の材質を合成樹脂系材とすることで、見切り基台部４５の立ち上がり壁部４６に凹設された係合凹部４６ａに、見切りカバー部４０の係合突部４３を嵌め入れる際の嵌合性を阻害することがない。
【００２２】
尚、見切り基台部４５の材質は、合成樹脂系材に限られず、上記したような金属系材としてもよい。
また、見切り部材Ａの施工下地１から手前側への高さは、見切りカバー部４０が見切り基台部４５に係合保持された状態で、施工される建築用パネル１０の厚さに応じて、該建築用パネル１０の端部表面１１ａに、見切りカバー部４０の突片部４２の裏面４２ａが当接あるいは近接して対面配置されるような高さとすることが好ましい（図３（ａ）参照）。あるいは、後記するように、カバー目地部材２０が目地部材として建築用パネル１０間に取付けられる場合は、その高さに応じて、カバー目地部材２０の端部表面２４ａに、縦見切り部材４０の突片部４２の裏面が当接あるいは近接して対面配置されるような高さとしてもよい（図３（ｂ）参照）。
【００２３】
さらに、上記見切り基台部４５の固定板状部４２の厚さは、１ｍｍ程度〜２ｍｍ程度の薄板状とすることが好ましい。これにより、建築用パネル１０を、例えば、接着剤で施工下地１に接着するような場合において、接着剤の塗布量を低減できるとともに接着剤の塗布工程も簡易なものとなる。
また、見切り基台部４５の固定板状部４２の立ち上がり壁部４６からの内方への延設幅は、適宜、設定可能であり、例えば、施工下地１への見切り基台部４５の固着安定性を高めるために５ｍｍ程度〜１５ｍｍ程度としてもよい。
さらに、見切り基台部４５の立ち上がり壁部４６の下端部に形成された段差部からなる固着具受部４８の段差部の幅寸法は、上記したような固着具を止着可能な幅とすればよく、０．５ｍｍ程度〜３ｍｍ程度としてもよい。
尚、上記した各幅寸法は、あくまでも例示であり、施工される建築用パネル１０の大きさや目地部材、固着具の種類等の大きさに合わせて、適宜、設定可能である。
【００２４】
以上のように本実施形態に係る見切り部材Ａによれば、固着具５ａ，５ｂが止着される固着具受部４８の固着具止着箇所を覆うカバー部４４を有した見切りカバー部４０を備えているので、固着具５ａ，５ｂの頭や固着具５ａ，５ｂの埋め込み穴等が室内側に露出せず、施工後の意匠性を高めることができる。
また、上記固着具受部４８は、見切りカバー部４０が取付けられる見切り基台部４５の立ち上がり壁部４６の外方側面４６ｄに設けられているので、施工が煩雑となることがない。すなわち、見切り基台部４５の立ち上がり壁部４６の内方側面４６ｃを建築用パネル１０の一端部の端面１１に対面配置した状態で、外方側面４６ｄの固着具受部４８に対して、電動工具あるいはエア工具等を用いて、ネジや釘等の固着具５ａ，５ｂを止着し、その後、見切りカバー部４０を見切り基台部４５に取付ければよく、施工性に優れたものとなる。
特に、本実施形態のように、見切り基台部４５の固着具受部４８を上記のように段差部とすることで、その段差上面に対して、上方（手前側）から固着具５ａ，５ｂ等を止着でき、施工性に優れたものとなる。
【００２５】
さらに、見切り部材Ａを、見切りカバー部４０と見切り基台部４５とを備えたものとすることで、例えば、異なる厚さの建築用パネル１０に対して施工されるような場合にも、いずれか一方を該厚さに応じて種々揃えることで、一方の部材は同じものとでき、汎用性に優れたものとなる。
また、見切り基台部４５と見切りカバー部４０とに、互いに係合する係合凹部４６ａと係合突部４３とをそれぞれ形成し、見切りカバー部４０の係合突部４３を、見切り基台部４５の係合凹部４６ａに嵌め入れて、見切りカバー部４０を着脱可能に係合保持させる構造としているので、例えば、表面側（室内空間側）に位置する見切りカバー部４０に損傷等が生じた場合に、見切りカバー部４０を容易に交換できる。従って、見切り基台部４５は、そのまま施工下地１に固着させたままで、見切りカバー部４０を新たなものに交換できるので、メンテナンスコストを低減できる。
また、例えば、建築用パネル１０の一部に不良が生じ、建築用パネル１０を交換したいような場合や模様替えのために建築用パネル１０を交換したいような場合には、見切りカバー部４０の突片部４２が建築用パネル１０の一端部の表面１１ａを隠すようにしているため、突片部４２が邪魔となり建築用パネル１０を脱離させるには、見切り部材Ａを破壊する必要が生じる恐れがある。上記構成とされた本実施形態によれば、見切りカバー部４０が着脱可能に見切り基台部４５に係合保持される構造としているので、そのような場合にも見切りカバー部４０を見切り基台部４５から脱離でき、見切り部材Ａを破壊する必要がない。よって、建築用パネル１０の交換後に、見切りカバー部４０を再利用できる。
【００２６】
さらに、見切り基台部４５の立ち上がり壁部４６の下端部に、施工下地１に固着するための固着具５ａ，５ｂが止着される固定板状部４７を内方に向けて延設しているので、建築用パネル１０を施工下地１に取付ける前に、見切り部材Ａの取付けが可能な場合等、例えば、施工の始端側に配設するような場合等では、上記固定板状部４７に対して、固着具５ａ，５ｂを止着すればよく、施工態様に応じて、固着具５ａ，５ｂの止着箇所が選択でき、施工性に優れたものとなる。
また、本実施形態のように、固定板状部４７の内方への延設幅を比較的、幅広とされたものとすることで、該固定板状部４７が見切り基台部４５を施工下地１に対して安定に固定させるための固定座として機能する。
また、見切り基台部４５には、建築用パネル１０の一端部の端面１１に凹設された雌実部１３に嵌合される雄実部４９が突設されているので、建築用パネル１０の施工下地１に対する取付強度を高めることができる。また、該雄実部４９が建築用パネル１０の雌実部１３に嵌合することによって建築用パネル１０が仮保持されるので、例えば、建築用パネル１０を接着剤で施工下地に固着するような場合には、該接着剤が乾燥硬化するまでの仮固定手段としても機能する。
【００２７】
尚、本実施形態では、見切り部材Ａの見切りカバー部４０に、係合突部４３を設け、見切り基台部４５に、係合凹部４６ａを設けた例を示しているが、これらを逆に設けるようにしてもよい。すなわち、見切りカバー部４０に、係合凹部を設け、見切り基台部４５に、係合突部を設けるようにしてもよい。また、これら係合突部４３及び係合凹部４６ａの形状は、図例のものに限られず、着脱可能に係合可能な形状とすればよい。
また、本実施形態では、見切り部材Ａの見切り基台部４５に、固定板状部４７及び雄実部４９を設けた例を示しているが、これらのいずれか一方あるいはいずれをも設けないようにしても良い。
さらに、本実施形態に係る見切り部材Ａの見切りカバー部４０は、上記したように材料費低減のための凹所空間を長手方向に沿って形成するようにして基部４１を、縦断面形状が一部開口略四角枠形状のものとしているが、このような凹所空間を形成せずに、基部４１の断面形状を略矩形状のものとしてもよい。
【００２８】
次に、本実施形態に係る見切り部材Ａを用いて施工された建築用パネルの施工状態及び該建築用パネルの取付構造の一例について、図２〜図４に基づいて説明する。
本例では、上記建築用パネル１０は、図２に示すように、施工下地（内壁面）１に対して部分的に施工した例を示しており、複数枚（図例では１２枚）の建築用パネル１０を縦横にそれぞれ並列配置して、施工下地１にこれら建築用パネル１０を取付施工している。また、これら建築用パネル１０間には、後記するカバー目地部材２０と、中間目地部材３０とを配置して、格子状に目地を形成するようにしている。
【００２９】
上記建築用パネルの取付構造は、図４（ａ）に示すように、建築用パネル１０の隣接する縦辺端部端面１１，１１間に中間目地部材３０を介在させて一方向（横方向）に沿って複数枚の建築用パネル１０（＃１），１０（＃２）をそれぞれ並設している。また、これら複数枚の建築用パネル１０（＃１），１０（＃２）同士は、他方向（縦方向）に沿って対向されて配置されている。また、これら複数枚の建築用パネル１０（＃１），１０（＃２）同士の間ｓｐには、カバー目地部材２０の後記する基部２１が介在されており、これら複数枚の建築用パネル１０（＃１），１０（＃２）及び中間目地部材３０のそれぞれ基部２１側の端部表面１２ａ，３２ａがカバー目地部材２０の後記する鍔部２２で隠されるようにしている。
【００３０】
また、複数枚の建築用パネル１０（＃１），１０（＃２）同士のそれぞれ中間目地部材３０が縦方向に沿って略同一直線上に配置されるようにして、図２に示すように、カバー目地部材２０と中間目地部材３０とで目地を格子状に形成するようにしている。
これらカバー目地部材２０及び中間目地部材３０は、それぞれカバー目地受け部材２５及び中間目地受け部材３５に着脱可能に係合保持されている。
また、縦横にそれぞれ並列配置された複数枚の建築用パネル１０の最外周端部に沿って本実施形態に係る見切り部材Ａを配設するようにしている。
また、これら見切り部材Ａの四隅の突合せ部には、コーナーキャップ６が該突合せ部を覆うように、それぞれ固着されている。
尚、図２において、符号２は、天井面、符号３は、腰壁を示している。
【００３１】
以下、上記した建築用パネルの取付構造を構成する各部材の具体的構成について、図３及び図４に基づいて説明する。
上記施工下地１は、内壁面１としている。図２のように、後付的（後施工的）に、壁仕上げ面に対して部分施工するようにしてもよく、あるいは、壁仕上げ面に壁クロスや壁紙等が貼着されている場合には、それらを剥離して、石膏ボードや合板捨張下地等の下地ボードを露出させてそれらを施工下地１としてもよい。または、新築時等においては、壁クロスや壁紙等が貼着される前の下地ボードを施工下地１としてもよい。あるいは胴縁や受け桟、天井野縁等の下地桟等を施工下地１としてもよい。
また、内壁面１に限らず、天井面２や外壁面（不図示）を施工下地１としてもよい。
さらに、部分施工ではなく、内壁面１や、天井面２、外壁面に対して全面施工するようにしてもよい。
【００３２】
上記建築用パネル１０のそれぞれは、矩形状の板状体からなり、例えば、木質系材料や合成樹脂系材料、窯業系材料、金属系材料等から形成されている。
この建築用パネル１０の縦辺端部両端面１１及び横辺端部両端面１２には、後記する中間目地受け部材３５の雇い実部３９，３９、横見切り基台部５５の雄実部５９及び後記するカバー目地受け部材２５の雇い実部２９，２９、縦見切り基台部４５の雄実部４９がそれぞれ嵌合する凹溝状の雌実部１３が形成されている。
【００３３】
上記木質系材料としては、無垢の木材、集成材、合板、パーティクルボード、木質繊維板等や、これらを基材として、突き板や樹脂シート等の化粧シート材を更に貼着したものや、該基材の表面に化粧塗装を施したものが挙げられる。
上記合成樹脂系材料としては、熱硬化性樹脂材、熱可塑性樹脂材等が挙げられる。
上記窯業系材料としては、レンガ、瓦、セラミックスや、セメントを主成分として補強繊維や無機質充填材を含有したセメント系の窯業系材料等が挙げられる。
上記金属系材料としては、アルミ材や、ステンレス材等が挙げられる。
上記樹脂系材料、窯業系材料及び金属系材料は、それぞれ、上記木質系材料と同様、これらを基材として、更に突き板や樹脂シート等の化粧シート材を更に貼着したものや、該基材の表面に化粧塗装を施したものとしてもよい。
【００３４】
上記建築用パネル１０は、それぞれ接着剤４で内壁面１に接着される。
接着剤４としては、建築用パネル１０の材質及び施工下地１の材質に応じて、適宜、選択可能であり、例えば、ユリア樹脂や、メラミン樹脂、ユリア・メラミン共縮合樹脂、フェノール樹脂、エポキシ樹脂、ウレタン樹脂などの熱硬化性樹脂を含有する接着剤、あるいは、酢酸ビニル樹脂や、合成ゴム、ポリ乳酸、澱粉、アクリル樹脂等を含有する水性接着剤又はエマルジョン接着剤などが挙げられる。
【００３５】
上記建築用パネル１０は、種々の機能性が付与された機能性パネルとしてもよい。機能性パネルとしては、例えば、調湿パネルや吸音パネル、防音パネル、防汚パネル、抗菌パネル等が挙げられる。
あるいは照明装置を内蔵した照明パネルや、棚板を手前側に向けてパネルに突設した棚板パネル、前面開口箱形状の収納箱をパネルに付設した収納パネルとしてもよい。これら照明装置や棚板、収納箱は、パネルに対して着脱可能に設けるようにしてもよい。あるいは、棚板や収納箱をパネルと一体成形するようにしてもよい。
上記のように、建築用パネル１０を内装用の機能性パネルとした場合には、施工箇所や施工範囲（施工枚数）を適宜、選択・変更することで、例えば、調湿パネルを施工する場合には、室内の調湿機能が適切となるように調整できたり、吸音パネルを施工する場合には、室内の音響効果が適切となるように調整できたりする。
また、上記した種々の建築用パネル１０自体を施工下地（天井面、壁面）１に対して着脱可能とする構成としてもよい。すなわち、接着剤４で接着せずに、施工下地１側、及び建築用パネル１０の裏面側にそれぞれ係合部を設けて、容易に着脱できるようにしてもよい。
【００３６】
また、建築用パネル１０の形状は、図例のような略正方形状に限らず、長方形状のものとしてもよい。
さらに、建築用パネル１０の大きさは、施工箇所等に応じて適宜、設定可能であり、一辺が１００ｍｍ〜５００ｍｍ程度の比較的小モジュールのもの、一辺が５００ｍｍ〜９００ｍｍ程度の中モジュールのもの、あるいは、一辺が９００ｍｍ〜１８００ｍｍ程度の比較的大モジュールのものとしてもよい。
【００３７】
上記カバー目地部材２０は、図４（ｂ）、（ｃ）に示すように、縦断面形状が略Ｉ形状（略倒Ｈ形状）の基部２１と、該基部２１の上端部に幅方向両側に向けて延出する鍔部２２と、該基部２１の下端部から下方に向けて突設された係合突部２３とを有している。該係合突部２３の基端部近傍には、後記するカバー目地受け部材２５の係合凹部２８ａに形成された凹条２８ｂと係合する突条２３ａが長手方向に沿って幅方向両側に向けて突設されている。
該カバー目地部材２０の基部２１の幅方向両外側面が、建築用パネル１０の横辺端部端面１２及び中間目地部材３０の隙間側端部端面３２に対面して、当接あるいは近接配置されている。
また、上記鍔部２２の裏面が建築用パネル１０の横辺端部表面１２ａ及び中間目地部材３０の隙間側端部表面３２ａに対面して、当接あるいは近接配置されている。
尚、カバー目地部材２０の材質及び形成方法は、上記見切りカバー部４０と同様である。
【００３８】
上記カバー目地受け部材２５は、図４（ｂ）、（ｃ）に示すように、上記同様の固着具によって内壁面１に固着される幅方向両側に向けてそれぞれ延出する固定板状部２７及び固定短片２６と、これら固定板状部２７及び固定短片２６から上方に向けて立設された基台部２８と、該基台部２８に凹設された上方に向けて開口する係合凹部２８ａと、該基台部２８の上端部に幅方向両側に向けて延出する雇い実部２９，２９とを有している。
上記係合凹部２８ａの上端部近傍両内側面には、上記カバー目地部材２０の係合突部２３に設けられた突条２３ａが係合する凹条２８ｂが長手方向に沿って凹設されている。
【００３９】
上記基台部２８の上端部近傍の幅方向両外側面には、上記カバー目地部材２０の係合突部２３が係合凹部２８ａへ嵌め入れられる際及び係合凹部２８ａから脱離される際の基台部２８の弾性変形に伴う幅方向への変形を許容するための逃げ凹所が形成されている。
また、上記基台部２８の下端部近傍の幅方向両外側面が、建築用パネル１０の横辺端部端面１２及び中間目地部材３０の隙間側端部端面３２に対面して、当接あるいは近接配置されている。
また、上記カバー目地受け部材２５の雇い実部２９，２９が、対向配置される建築用パネル１０のそれぞれ横辺端部端面１２に形成された雌実部１３に嵌合される。
【００４０】
上記カバー目地受け部材２５の基台部２８の下端部近傍の幅寸法は、前記カバー目地部材２０の基部２１の幅寸法と略同寸法とされている。
このカバー目地受け部材２５の基台部２８が、建築用パネル１０を後記するように内壁面１に取付施工する際に、内壁面１に固着されることで、横方向に配置される複数枚の建築用パネル１０（＃１），１０（＃２）を後記するように縦方向に沿って対向配置させる際の位置決め手段として機能する。また、それら対向配置された複数枚の建築用パネル１０（＃１），１０（＃２）同士の間ｓｐを、基台部２８の幅寸法で規定し、上記カバー目地部材２０の基部２１とともに、該基台部２８が横辺端部端面１２間に介在される目地部として機能する。
尚、カバー目地受け部材２５の材質及び形成方法は、上記見切り基台部４５と同様である。
【００４１】
上記中間目地部材３０は、図４（ｄ）に示すように、縦断面形状が略矩形状の基部３１と、該基部３１の下端部から下方に向けて突設された係合突部３３とを有している。該係合突部３３の基端部近傍には、後記する中間目地受け部材３５の係合凹部３８ａに形成された凹条３８ｂと係合する突条３３ａが長手方向に沿って幅方向両側に向けて突設されている。
この中間目地部材３０の長さは、建築用パネル１０の縦辺の長さと略同長さとされている。
該中間目地部材３０の基部３１の幅方向両外側面が、建築用パネル１０の縦辺端部端面１１に対面して、当接あるいは近接配置されている。
尚、中間目地部材３０の材質及び形成方法は、上記カバー目地部材２０と同様である。
【００４２】
上記中間目地受け部材３５は、図４（ｄ）に示すように、上記カバー目地受け部材２５とその断面形状が略同寸同形状であり、長さのみが異なるものであるので、カバー目地受け部材２５の符号をそれぞれ３０番台に代えた符号を付して、その説明を省略する。
上記中間目地受け部材３５の基台部３８の下端部近傍の幅寸法は、前記中間目地部材３０の基部３１の幅寸法と略同寸法とされている。
この中間目地受け部材３５の基台部３８が、建築用パネル１０を後記するように内壁面１に取付施工する際に、内壁面１に固着されることで、建築用パネル１０を後記するように横方向に並設させる際の位置決め手段として機能する。また、それら横方向に並設された建築用パネル１０の縦辺端部端面１１間に形成される中間目地部材３０を挿入するための隙間を基台部３８の幅寸法で規定し、上記中間目地部材３０の基部３１とともに、該基台部３８が縦辺端部端面１１間に介在される目地部として機能する。
【００４３】
上記したカバー目地部材２０の基部２１及びカバー目地受け部材２５の基台部２８の下端部近傍の幅寸法、中間目地部材３０の基部３１及び中間目地受け部材３５の基台部３８の下端部近傍の幅寸法は、形成する目地幅に応じて適宜、設定可能である。例えば、建築用パネル１０間に形成される目地幅を５ｍｍ程度としたい場合には、それらの幅寸法を５ｍｍ程度とすれば良い。
また、カバー目地部材２０の鍔部２２の延出幅も適宜、設定可能であり、建築用パネル１０及び中間目地部材３０の寸法誤差や取付誤差等を考慮して、１〜４ｍｍ程度としてもよい。
【００４４】
また、中間目地部材３０の内壁面１から手前側への高さは、中間目地受け部材３５に係合保持された状態で、内壁面１に固着された建築用パネル１０の少なくとも端部表面１１ａと略面一となるような高さとすることが好ましい。また、カバー目地部材２０の内壁面１から手前側への高さは、カバー目地受け部材２５に係合保持された状態で、上記中間目地部材３０の高さ及び建築用パネル１０の厚さに応じて、それらの端部表面１２ａ，３２ａに、上記カバー目地部材２０の鍔部２２の裏面が当接あるいは近接して対面配置されるような高さとすることが好ましい。
また、上記建築用パネル１０が不燃性パネルである場合は、取付施工された建築用パネルの取付構造を、全体として不燃性に優れたものとするために、カバー目地部材２０及び中間目地部材３０の材質を金属系材（アルミニウム材等）とすることが好ましい。また、この場合には、嵌合性を良好とするために、カバー目地受け部材２５及び中間目地受け部材３５の材質を上記したように、合成樹脂系材とすることが好ましい。
【００４５】
上記コーナーキャップ６は、図３（ａ）、（ｂ）及び図７（ｃ）に示すように、正面視略Ｌ字状の上板６ａと、該上板６ａのＬ字外側辺からそれぞれ下方に向けて垂設された側板６ｂ，６ｂとから構成されており、上記同様の接着剤等で縦見切りカバー部４０及び／又は横見切りカバー部５０の外方側側面に接着されて、これら縦見切りカバー部４０及び横見切りカバー部５０の突合せ部をカバーしている。尚、該コーナーキャップ６は、接着剤等で接着せずに、着脱可能な構成としてもよい。
【００４６】
次に、上記構成とされた各部材を用いて建築用パネルを施工する施工手順の一例について、図５〜図７に基づいて説明する。
図５〜図７は、いずれも同施工手順を説明するための説明図であり、概略正面全体図及び該全体図の一点鎖線内を概略的に拡大して示す正面図である。
尚、図例では、６枚の建築用パネル１０を内壁面１に取付施工する例を示している。
【００４７】
まず、図５（ａ）に示すように、６枚の建築用パネル１０の最外周端部に沿って配設される各見切り基台部４５，５５のうち左側端部の縦見切り基台部４５と、床側端部の横見切り基台部５５とをそれぞれ内壁面１に固着する。この際、各見切り基台部４５，５５のそれぞれ固定板状部４７，５７の目印溝４７ａ，５７ａの適所にビス等の固着具５ａを止着して、内壁面１に固着する。
図例では、縦見切り基台部４５の床側端部内方側に、横見切り基台部５５の一端面が突合せられた状態を示している。
【００４８】
次いで、上記のように各見切り基台部４５，５５が内壁面１に固着されて位置決めがなされた状態で、図５（ｂ）に示すように、６枚の建築用パネル１０のうち最左方側かつ最床面側に配置される建築用パネル１０を、その裏面に接着剤４を塗布して、内壁面１に固着する。この際、建築用パネル１０の左側縦辺端部端面１１に設けられた雌実部１３及び床側横辺端部端面１２に設けられた雌実部１３のそれぞれを、各見切り基台部４５，５５の雄実部４９，５９にそれぞれ嵌合させて固着する（図３（ａ）参照）。
上記のように建築用パネル１０を固着させた状態で、建築用パネル１０の右側縦辺端部端面１１に沿わせるようにして、中間目地受け部材３５を内壁面１に固着する。この際、中間目地受け部材３５の左側雇い実部３９を建築用パネル１０の右側縦辺端部端面１１に設けられた雌実部１３に嵌合させるとともに、固定短片３６を建築用パネル１０の裏面と内壁面１との間に挿入する（図４（ｄ）参照）。
また、中間目地受け部材３５の固定板状部３７の適所にビス等の固着具を止着して、中間目地受け部材３５を内壁面１に固着する。
【００４９】
次いで、図５（ｃ）に示すように、上記のように固着された中間目地受け部材３５の右側雇い実部３９に、左側縦辺端部端面１１の雌実部１３を嵌合させるとともに、床側横見切り基台部５５の雄実部５９に、床側横辺端部端面１２の雌実部１３を嵌合させて、二枚目の建築用パネル１０を接着剤４で内壁面１に固着する（図３（ａ）及び図４（ｄ）参照）。このように横方向に複数枚の建築用パネル１０が縦辺端部端面１１間に中間目地受け部材３５の基台部３８を介在させて固着された状態で、これら建築用パネル１０の天井側横辺端部端面１２に沿わせるようにして、カバー目地受け部材２５を内壁面１に固着する。この際、カバー目地受け部材２５の床側雇い実部２９を、建築用パネル１０の天井側横辺端部端面１２に設けられたそれぞれの雌実部１３に嵌合させるとともに、固定短片２６を建築用パネル１０のそれぞれの裏面と内壁面１との間に挿入する（図４（ｂ）参照）。
また、カバー目地受け部材２５の固定板状部２７の適所にビス等の固着具を止着して、カバー目地受け部材２５を内壁面１に固着する。
【００５０】
次いで、上記のように横方向に並設された複数枚（図例では２枚）の建築用パネル１０の天井側に、左側から順に、建築用パネル１０を上記同様にして、中間目地受け部材３５及びカバー目地受け部材２５を介在させて、縦横にそれぞれ並列させて取付施工する。
すなわち、上記同様にして、左側かつ床側から順に各建築用パネル１０を取付施工するとともに、それらの縦辺端部端面１１間に中間目地受け部材３５の基台部３８を介在させ、また、それら中間目地受け部材３５の基台部３８を介在させて横方向に並設された複数枚の建築用パネル１０の横辺端部端面１２間にカバー目地受け部材２５の基台部２８を介在させて縦横にそれぞれ並列配置された複数枚（図例では６枚）の建築用パネル１０の集合体が図６（ａ）に示すように、形成される。
【００５１】
次いで、図６（ｂ）に示すように、天井側端部の横見切り基台部５５及び右側端部の縦見切り基台部４５をそれぞれ内壁面１に固着する。この際、各見切り基台部４５，５５の固定板状部４７，５７は、建築用パネル１０の裏面と内壁面１との間に挿入されて固着具５が止着できないため、外方側に位置する各固着具受部４８，５８に対して固着具（図例では、釘５ｂ）を止着させるようにしている。
この状態では、天井側端部の横見切り基台部５５及び右側端部の縦見切り基台部４５にそれぞれ止着された釘５ｂの頭が室内側に露出した状態となっている。
【００５２】
次いで、図７（ａ）に示すように、中間目地部材３０の係合突部３３を、中間目地受け部材３５の係合凹部３８ａに嵌め入れて、中間目地部材３０を取付ける（図４（ｄ）参照）。
さらに、図７（ｂ）に示すように、カバー目地部材２０の係合突部２３を、カバー目地受け部材２５の係合凹部２８ａに嵌め入れて、カバー目地部材２０を取付ける（図４（ｂ）参照）。
この状態では、複数枚の建築用パネル１０及び中間目地部材３０のそれぞれ基部２１側の端部表面１２ａ，３２ａが、カバー目地部材２０の鍔部２２によって隠されている（図４（ａ）、（ｂ）参照）。
【００５３】
上記のように、建築用パネル１０、中間目地部材３０及カバー目地部材２０が取付施工された状態で、図７（ｃ）に示すように、各見切り基台部４５，５５の各係合凹部４６ａ，５６ａに、各見切りカバー部４０，５０の各係合突部４３，５３を嵌め入れて、各見切りカバー部４０，５０を取付ける（図３（ａ）、（ｂ）参照）。この状態では、各見切り基台部４５，５５の固着具受部４８，５８が各見切りカバー部４０，５０の各カバー部４４，５４によって、覆われるので、固着具受部４８，５８に止着された釘５ｂが室内側に露出するようなことがなく、意匠性に優れたものとなる。
また、この状態では、図７（ｃ）の一点鎖線内拡大図に示すように、建築用パネル１０のうち最外方に位置する各建築用パネル１０の最外周端部１１，１２のそれぞれ端部表面１１ａ，１２ａが、各見切りカバー部４０，５０のそれぞれ突片部４２，５２によって隠されている。
次いで、各見切りカバー部４０，５０のそれぞれ四隅の突合せ部に、該突合せ部を覆うように、コーナーキャップ６をそれぞれ固着する。
尚、上記施工手順は、一例に過ぎず、各部材の機能を阻害しない限りにおいて、別手順でなされるようにしてもよい。
【００５４】
上記のように、取付施工された建築用パネル１０は、例えば、その一部に不良があったような場合や模様替え等をしたい場合には、カバー目地部材２０、中間目地部材３０及び各見切りカバー部４０，５０を脱離させることで、建築用パネル１０を容易に脱離できるとともに、それらカバー目地部材２０、中間目地部材３０及び各見切りカバー部４０，５０を、建築用パネル１０の交換後に再利用できる。尚、このように、建築用パネル１０を内壁面１から脱離させる際には、雌実部１３を形成する内壁面１側の突部を破断して脱離させればよく、また、新たに取付施工する建築用パネル１０は、該突部を破断して、あるいは該突部を有さないものとすればよい。
【００５５】
以上のような建築用パネルの取付構造によれば、カバー目地部材２０と、中間目地部材３０とを用いて、建築用パネル１０間に目地を形成するようにしているので、湿式施工のものと比べて、施工工程の簡略化が図れる。
また、建築用パネル１０の縦辺端部端面１１間には、上記のように中間目地受け部材３５の基台部３８を介在させるようにしているので、縦辺端部端面１１間に、中間目地受け部材３５を介在させて順次、建築用パネル１０を横方向に沿って施工することで、建築用パネル１０の位置決めが容易に行えるとともに、建築用パネル１０の縦辺端部端面１１と中間目地部材３０との間に、隙間等が形成されることがない。
【００５６】
さらに、上記のようにカバー目地部材２０の基部２１を挟んで縦方向に沿って対向配置された複数枚の建築用パネル１０（＃１），１０（＃２）のそれぞれ基部２１側の横辺端部表面１２ａ，１２ａ、及び対向配置された中間目地部材３０の基部２１側の端部表面３２ａ，３２ａが、それぞれカバー目地部材２０の鍔部２２によって隠されるので、カバー目地部材２０と中間目地部材３０とで形成された目地の意匠性を高めることができる。すなわち、カバー目地部材２０の基部２１と建築用パネル１０の基部２１側の横辺端部端面１２との間に、建築用パネル１０の寸法誤差や取付誤差等によって隙間等が形成された場合にも、これら対向配置された建築用パネル１０（＃１），１０（＃２）のそれぞれ基部２１側の横辺端部表面１２ａ，１２ａがカバー目地部材２０の鍔部２２によって隠されてカバーされるので、このような隙間が目立つことがない。
【００５７】
また、上記のように縦横にそれぞれ並列配置された複数枚の建築用パネル１０の集合体の最外周端部に沿って、本実施形態に係る各見切り部材Ａを四周に配設するようにしているので、壁面や天井面等に部分的に建築用パネル１０を施工する場合に、それら施工された建築用パネル１０の最外周端部が各見切り部材Ａによって覆われるので、意匠性に優れたものとなる。
また、カバー目地部材２０及び中間目地部材３０のそれぞれ最外方に位置する端部表面２４ａ，３２ａと、建築用パネル１０の最外周端部表面１１ａ，１２ａとが各見切りカバー部４０，５０の突片部４２，５２によって隠されるので、これら端部において、取付誤差や寸法誤差等による位置ズレや隙間等が形成された場合にも、それらが目立つことがなく、意匠性に優れたものとなる。
特に、本例の建築用パネルの取付構造のように、建築用パネル１０間に、カバー目地部材２０及び中間目地部材３０を配置して、縦横にそれぞれ複数枚の建築用パネル１０を並設するような場合においては、各部材の取付誤差や寸法誤差等による位置ズレや隙間等が生じやすいが、上記のように、それらの最外周端部に沿って、各見切り部材Ａを四周に配設するようにしているので、各見切り部材Ａの突片部４２，５２によって、それら取付誤差や寸法誤差等による位置ズレや隙間等を吸収でき、意匠性に優れたものとなる。
【００５８】
また、カバー目地部材２０及び中間目地部材３０のそれぞれ最外方に位置する端部端面２４，３２が各見切りカバー部４０，５０の突片部４２，５２によって隠されて露出しないため、例えば、各目地部材２０，３０がアルミ材等で形成されて端部縁部が鋭く尖って、いわゆるシャープエッジとなっているような場合にも、これらの端部縁部に引っ掛かるようなことを防止できる。換言すれば、これら端部縁部を引っ掛かり等の防止のために面取り等をする必要がない。
尚、上記建築用パネルの取付構造では、本実施形態に係る見切り部材Ａを、内壁面１に対して部分的に施工された複数枚の建築用パネル１０からなる集合体の最外周端部に沿って、四周に配設する例を示しているが、縦及び／又は横に並設された複数枚の建築用パネルの少なくとも一端部に沿って配設するようにしてもよい。
【００５９】
次に、本発明に係る他の実施の形態について、図面を参照しながら説明する。
図８（ａ）は、第２実施形態に係る見切り部材を示す概略断面図である。
尚、第１実施形態との相違点は、主に、見切り基台部の構成であり、同様の構成については、同一符合を付して、その説明を省略あるいは簡略に説明する。
【００６０】
本実施形態に係る見切り部材Ｂは、取付施工された状態では、上記第１実施形態と外観上、同様であり、大略的に、見切りカバー部４０と、見切り基台部４５Ａとを備え、該見切りカバー部４０は、上記第１実施形態と同様の構成である。
上記見切り基台部４５Ａは、本実施形態では、立ち上がり壁部４６Ａの上端部に、上記したような雄実部を形成していない点が、上記見切り部材Ａと異なる。
また、該立ち上がり壁部４６Ａの外方側面４６Ａｄに設けた固着具受部４８Ａは、上記のような段差部ではなく、外方に向けて開口する凹溝形状とされている。
この見切り部材Ｂでは、見切りカバー部４０の係合突部４３を見切り基台部４５Ａの係合凹部４６ａに嵌め入れて係合させた状態では、見切りカバー部４０のカバー部４４の内方側面４４ａが、上記固着具受部４８Ａを除いて、立ち上がり壁部４６Ａの外方側面４６Ａｄに当接する。
尚、見切り基台部４５Ａに雄実部を設けていないため、図では、建築用パネル１０Ａの端部端面１１に、上記のような雌実部を設けていないものを例示しているが、雌実部を有したものとしても良い。
【００６１】
上記構成とされた見切り部材Ｂによれば、上記第１実施形態で説明した建築用パネルの雌実部に、各雄実部を嵌合させることによる効果を除いて、同様の効果を奏するとともに、建築用パネル１０Ａを交換等したい場合においては、その着脱が容易に行える見切り部材Ｂとなる。
また、上記のように、見切りカバー部４０のカバー部４４の内方側面４４ａが、上記固着具受部４８Ａを除いて、立ち上がり壁部４６Ａの外方側面４６Ａｄに当接するので、見切りカバー部４０を見切り基台部４５Ａに安定して係合保持させることができる。
さらに、本実施形態では、固着具受部４８Ａを外方に向けて開口する凹溝形状のものとしているので、例えば、外方から内方に向けて、固着具５ａ，５ｂ等を止着でき、施工性に優れたものとなる。
尚、上記第１実施形態と同様の雄実部を見切り基台部４５Ａに設けるようにしても良い。
また、上記のように凹溝形状とされた固着具受部４８Ａの凹溝は、該固着具受部４８Ａに止着された固着具５ａ，５ｂの頭部が突出しているような場合に、該頭部が納まるようなものとすればよい。
【００６２】
次に、本発明に係る更に他の実施の形態について、図面を参照しながら説明する。
図８（ｂ）は、第３実施形態に係る見切り部材を示す概略断面図である。
尚、第１実施形態と同様の構成については、同一符合を付して、その説明を省略あるいは簡略に説明する。
【００６３】
本実施形態に係る見切り部材Ｃは、取付施工された状態では、上記第１実施形態と外観上、同様であり、大略的に、見切りカバー部４０Ａと、見切り基台部４５Ｂとを備えている。
上記見切りカバー部４０Ａは、本実施形態では、基部４１の下端部から下方に向けて突設された係止突部４３Ａと、該基部４１の外方側面に沿うように下方に向けて延設されたカバー部４４Ａとの構成が上記第１実施形態の見切りカバー部４０と異なる。
上記係止突部４３Ａは、後記する見切り基台部４５Ｂの係止凹部４６Ｂａに、係止され、着脱不能あるいは着脱困難な構成とされている。すなわち、該係止突部４３Ａの外方側面には、複数（図例では３個）の鋸刃状の係止突条４３Ａａが外方に向けて突設されており、後記する見切り基台部４５Ｂに形成された係止凹部４６Ｂａの係止凹条４６Ｂｂと着脱不能に係止する構成とされている。
また、上記見切りカバー部４０Ａのカバー部４４Ａは、その内方側面の形状が上記第１実施形態のカバー部４４と異なる。すなわち、該カバー部４４Ａの上端部近傍内方側面４４Ａａは、後記する見切り基台部４５Ｂの立ち上がり壁部４６Ｂの外方側面４６Ｂｄに当接する構成とされ、下端部近傍内方側面４４Ａｂは、該見切り基台部４５Ｂの立ち上がり壁部４６Ｂの外方側面４６Ｂｄに当接しないように空所を形成するようにして外方に向けて段差が形成されている。
【００６４】
上記見切り基台部４５Ｂは、本実施形態では、立ち上がり壁部４６Ｂの上端部に、上記したような雄実部を形成していない点が、上記見切り部材Ａと異なる。
また、該立ち上がり壁部４６Ｂの外方側面４６Ｂｄに設けた固着具受部４８Ｂは、上記のように段差や凹溝を形成することなく、平面状とされている。このようなものとしても、ビス５ａや釘５ｂ等を斜め打ちすることで止着可能である。
また、該見切り基台部４５Ｂの立ち上がり壁部４６Ｂには、上方に向けて開口する係止凹部４６Ｂａが凹設されている。この係止凹部４６Ｂａには、上記見切りカバー部４０Ａの係止突部４３Ａに形成された係止突条４３Ａａを係止する係止凹条４６Ｂｂが形成されている。
尚、見切り基台部４５Ｂに雄実部を設けていないため、図では、建築用パネル１０Ａの端部端面１１に、上記のような雌実部を設けていないものを例示しているが、雌実部を有したものとしても良い。
【００６５】
上記構成とされた見切り部材Ｃによれば、上記第１実施形態で説明した建築用パネルの雌実部に、各雄実部を嵌合させることによる効果及び見切りカバー部と見切り基台部とが着脱可能であることによる効果を除いて、同様の効果を奏する。
また、見切りカバー部４０Ａと見切り基台部４５Ｂとが着脱不能に係止されるため、これらの係止が強固になされ、見切りカバー部４０Ａの見切り基台部４５Ｂへの取付けが確実になされる。
さらに、見切りカバー部４０Ａのカバー部４４Ａの下端部近傍内方側面４４Ａｂが、上記見切り基台部４５Ｂの立ち上がり壁部４６Ｂの外方側面４６Ｂｄに当接しないように空所を形成するようにして外方に向けて段差を形成しているので、上記固着具受部４８Ｂに固着具５ａ，５ｂが止着されてそれらの頭が突出しているような場合にも、上記空所に該頭部が納まる。
【００６６】
尚、上記第１実施形態と同様の雄実部を見切り基台部４５Ｂに設けるようにしても良い。
また、上記見切りカバー部４０Ａのカバー部４４Ａの下端部近傍内方側面４４Ａｂと、上記見切り基台部４５Ｂの立ち上がり壁部４６Ｂの外方側面４６Ｂｄとが当接しないように形成した空所は、上記固着具受部４８Ｂに止着された固着具５ａ，５ｂの頭部が突出しているような場合に、該頭部が納まるようなものとすればよい。
さらに、本実施形態では、上記のようにカバー部４４Ａの内方側面と立ち上がり壁部４６Ｂの外方側面４６Ｂｄとの間に、止着された固着具５ａ，５ｂ等の頭部が納まるように空所を形成した例を示しているが、このような空所を設けないようにしてもよい。
【図面の簡単な説明】
【００６７】
【図１】本発明に係る見切り部材の一実施形態を示す概略分解断面図である。
【図２】同実施形態に係る見切り部材が用いられた建築用パネルの施工状態を示す概略正面図である。
【図３】（ａ）、（ｂ）は、いずれも同実施形態に係る見切り部材を用いた建築用パネルの取付構造の一例を説明するための説明図であり、（ａ）は、図２におけるＸ−Ｘ線矢視概略断面図、（ｂ）は、図２におけるＹ−Ｙ線矢視概略断面図である。
【図４】（ａ）〜（ｄ）は、いずれも同建築用パネルの取付構造を説明するための説明図であり、（ａ）は、図２におけるＺ部の概略拡大一部破断正面図、（ｂ）は、（ａ）におけるＶ１−Ｖ１線矢視概略断面図、（ｃ）は、（ａ）におけるＶ２−Ｖ２線矢視概略断面図、（ｄ）は、（ａ）におけるＷ−Ｗ線矢視概略断面図である。
【図５】（ａ）〜（ｃ）は、いずれも同実施形態に係る見切り部材を用いた建築用パネルの取付構造の施工手順の一例を説明するための説明図である。
【図６】（ａ）、（ｂ）は、いずれも同施工手順を説明するための説明図である。
【図７】（ａ）〜（ｃ）は、いずれも同施工手順を説明するための説明図である。
【図８】（ａ）、（ｂ）は、いずれも本発明に係る見切り部材の他の実施形態を示す概略断面図である。
【符号の説明】
【００６８】
１                          内壁面（施工下地）
２                          天井面（施工下地）
５ａ                        ビス（固着具）
５ｂ                        釘（固着具）
１０，１０Ａ                建築用パネル
１１                        建築用パネルの縦辺端部端面（一端部の端面）
１１ａ                      建築用パネルの縦辺端部表面（一端部の表面）
１２                        建築用パネルの横辺端部端面（一端部の端面）
１２ａ                      建築用パネルの横辺端部表面（一端部の表面）
１３                        建築用パネルの雌実部
４０，４０Ａ                縦見切りカバー部（見切りカバー部）
４２                        突片部
４３                        係合突部（係合部）
４４，４４Ａ                カバー部
４５，４５Ａ，４５Ｂ        縦見切り基台部（見切り基台部）
４６，４６Ａ，４６Ｂ        立ち上がり壁部
４６ａ                      係合凹部（係合部）
４６ｄ，４６Ａｄ，４６Ｂｄ  立ち上がり壁部の外方側面
４７                        固定板状部
４８，４８Ａ，４８Ｂ        固着具受部
４９                        雄実部
５０，５０Ａ                横見切りカバー部（見切りカバー部）
５２                        突片部
５５，５５Ａ，５５Ｂ        横見切り基台部（見切り基台部）
５６                        立ち上がり壁部
５６ａ                      係合凹部（係合部）
５７                        固定板状部
５８                        固着具受部
５９                        雄実部
Ａ，Ｂ，Ｃ                  見切り部材
【図１】
2009191550.tif 000003
【図２】
2009191550.tif 000004
【図３】
2009191550.tif 000005
【図４】
2009191550.tif 000006
【図５】
2009191550.tif 000007
【図６】
2009191550.tif 000008
【図７】
2009191550.tif 000009
【図８】
2009191550.tif 000010